(57)【要約】【課題】蓄光材を用いて入力キーの輝度を向上させることができると共に、光源の発光強度を低下させることができ、よって省エネを実現できる導光板、キーモジュール、前記導光板若しくは前記キーモジュールを用いた電子機器の提供を課題とする。【解決手段】所定の指令を入力するための入力キー１１と、該入力キー１１の下方に位置し、光源４０からの光を前記入力キー１１方向へ照光するための導光板２０と、該導光板２０の下方に位置し、前記入力キー１１によってスイッチオン、スイッチオフされる回路基板５０とから構成されるキーモジュール２であって、前記導光板２０と前記回路基板５０との間に光の蓄積と放出とを行う蓄光手段を設けてある。【選択図】      図２
2010205668.tif 000002
【特許請求の範囲】
【請求項１】
所定の指令を入力するための入力キーと、該入力キーの下方に位置し、光源からの光を前記入力キー方向へ照光するための導光板と、該導光板の下方に位置し、前記入力キーによってスイッチオン、スイッチオフされる回路基板とから構成されるキーモジュールであって、前記導光板と前記回路基板との間に光の蓄積と放出とを行う蓄光手段を設けてあることを特徴とするキーモジュール。
【請求項２】
蓄光手段は、入力キーに対応した位置に設けてあることを特徴とする請求項１に記載のキーモジュール。
【請求項３】
蓄光手段は、回路基板の上面部を覆うシートに蓄光剤を含有又は積層して構成してあることを特徴とする請求項１又は２に記載のキーモジュール。
【請求項４】
蓄光手段は、導光板の下面側に蓄光剤を含有又は積層して構成してあることを特徴とする請求項１〜３の何れか１項に記載のキーモジュール。
【請求項５】
導光板の入力キーに対応した位置に、導光板を通過してきた光を入力キー方向へ出射させる光出射構造部を備えていることを特徴とする請求項１〜４の何れか１項に記載のキーモジュール。
【請求項６】
光出射構造部は、導光板の下面側に設け、該光出射構造部に蓄光剤を含有又は積層させてあることを特徴とする請求項５に記載のキーモジュール。
【請求項７】
光出射構造部は、凹凸形状のパターンによって構成されていることを特徴とする請求項５又は６に記載のキーモジュール。
【請求項８】
光出射構造部は、光散乱剤の含有されたインクによる印刷によって構成されていることを特徴とする請求項５又は６に記載のキーモジュール。
【請求項９】
光源からの光の蓄積と放出とを行う蓄光手段を板の上面側又は下面側の少なくとも何れか一面側に設けてあることを特徴とする導光板。
【請求項１０】
蓄光手段は、板の少なくとも何れか一面側に蓄光剤を含有させ又は積層させることで構成してあることを特徴とする請求項９に記載の導光板。
【請求項１１】
光源から導入した光を外部方向へ出射する光出射構造部を板の少なくとも何れか一面側に設け、該光出射構造部に蓄光手段を設けてあることを特徴とする請求項９又は１０に記載の導光板。
【請求項１２】
請求項１〜１１の何れか１項に記載のキーモジュール若しくは導光板を用いてなることを特徴とする電子機器。
【発明の詳細な説明】
【技術分野】
【０００１】
本発明は、導光板、キーモジュール及び前記導光板若しくは前記キーモジュールを用いた電子機器に関する。
【背景技術】
【０００２】
携帯電話機、ノートパソコン、デジタルカメラ等の携帯機器においては、一般的に、入力モジュールを用いて所用の入力操作ができるようになされている。そして前記入力モジュールには、夜間などの入力操作の便宜を図るため、入力モジュールを構成するキーなどを発光させる構成とされているものがある。その構成の一部として、蓄光材がキー周辺部材へ適用され、キートップの発光を補助する構成が用いられたりする。
前記蓄光材がキー周辺部材へ適用された従来技術として、例えば下記特許文献１〜３がある。
下記特許文献１は、ハンディターミナルにおけるキーボード部に関する発明で、簡単な構成のもとに、暗い場所においても操作部の表示を判然と視認して誤操作を防止することができるキーボード部を構成する技術が開示されている。
また下記特許文献２は、表示灯に関する発明で、蓄光材の特性を最大限に活用した表示灯を提案し、キーのキー挿入口への出し入れや、フロントバンパーの端部の視認を容易にさせる技術が開示されている。
また下記特許文献３は、キー入力装置に関する発明で、キーを照明するために必要な消費電力を少なくできるキー入力装置に関する技術が開示されている。
【先行技術文献】
【特許文献】
【０００３】
【特許文献１】特開平８−９６０００号公報
【特許文献２】特開平９−１４５９３０号公報
【特許文献３】特許第３５０４２４２号公報
【発明の概要】
【発明が解決しようとする課題】
【０００４】
しかしながら、上記特許文献１に示すハンディターミナルにおけるキーボード部では、透光性の表示シートとキーユニットとの間に夜光シートを配置する構成であり、夜光シートが随時照光されるキーモジュールにしか適用できず、例えば折り畳み式携帯電話機のような非使用時にキー部分が覆われる構成のものには、キー部分を照光する機構を別途設ける必要があるという問題があった。
また上記特許文献２に示す表示灯では、発光層内に蓄光材を含有する構成であり、バンパーのように透光性の導光板を介して日中随時照光されるキーモジュールにしか適用できず、例えば折り畳み式携帯電話機のような非使用時にキー部分が覆われる構成のものには、キー部分を照光する機構を別途設ける必要があるという問題があった。
また上記特許文献３に示すキー入力装置は、キーに蓄光材を含有させ、ＬＥＤを点灯させてキーを照明させると共に、キーに光エネルギーを蓄積させる構成である。が、蓄光材を含有させたキートップはＬＥＤ光の透過性が悪く、ＬＥＤ光の強い光でもキーを十分に照光させることができないという問題があった。
【０００５】
そこで本発明は上記従来における問題点を解決し、蓄光材を用いて入力キーの輝度を向上させることができると共に、光源の発光強度を低下させることができ、よって省エネを実現できる導光板、キーモジュール、前記導光板若しくは前記キーモジュールを用いた電子機器の提供を課題とする。
【課題を解決するための手段】
【０００６】
本発明のキーモジュールは、所定の指令を入力するための入力キーと、該入力キーの下方に位置し、光源からの光を前記入力キー方向へ照光するための導光板と、該導光板の下方に位置し、前記入力キーによってスイッチオン、スイッチオフされる回路基板とから構成されるキーモジュールであって、前記導光板と前記回路基板との間に光の蓄積と放出とを行う蓄光手段を設けてあることを第１の特徴としている。
【０００７】
上記本発明の第１の特徴によれば、所定の指令を入力するための入力キーと、該入力キーの下方に位置し、光源からの光を前記入力キー方向へ照光するための導光板と、該導光板の下方に位置し、前記入力キーによってスイッチオン、スイッチオフされる回路基板とから構成されるキーモジュールであって、前記導光板と前記回路基板との間に光の蓄積と放出とを行う蓄光手段を設けてあることから、蓄光手段に蓄積され、放出される光で入力キーを照光させることができる。よって入力キーの輝度を向上させることができる。また蓄光手段から放出される光を導光板に導入させることで、光源の発光強度を低下させることができる。よって省エネを実現できる。また蓄光手段を導光板と回路基板との間に設けることで、導光板による入力キーへの照光を蓄光手段が遮ることがない。よって導光板により入力キーを良好に照光させることができる。従って入力キーの輝度を向上させることができる。
【０００８】
また本発明のキーモジュールは、上記本発明の第１の特徴に加えて、蓄光手段は、入力キーに対応した位置に設けてあることを第２の特徴としている。
【０００９】
上記本発明の第２の特徴によれば、上記本発明の第１の特徴による作用効果に加えて、蓄光手段は、入力キーに対応した位置に設けてあることから、蓄光手段に蓄積され、放出される光を効率的に入力キーに照光させることができる。よって一段と入力キーの輝度を向上させることができると共に、省エネを実現できる。
【００１０】
また本発明のキーモジュールは、上記本発明の第１又は第２の特徴に加えて、蓄光手段は、回路基板の上面部を覆うシートに蓄光材を含有又は積層して構成してあることを第３の特徴としている。
【００１１】
上記本発明の第３の特徴によれば、上記本発明の第１又は第２の特徴による作用効果に加えて、蓄光手段は、回路基板の上面部を覆うシートに蓄光材を含有又は積層してあることから、導光板によって照光される光の内、入力キーと逆方向へ照光される光を蓄光手段に蓄積させ、入力キーを照光させることができる。よって照光効率の良いキーモジュールとすることができる。
【００１２】
また本発明のキーモジュールは、上記本発明の第１〜第３の何れか１つの特徴に加えて、蓄光手段は、導光板の下面側に蓄光材を含有又は積層して構成してあることを第４の特徴としている。
【００１３】
上記本発明の第４の特徴によれば、上記本発明の第１〜第３の何れか１つの特徴による作用効果に加えて、蓄光手段は、導光板の下面側に蓄光材を含有又は積層してあることから、導光板に蓄光材を含有又は積層させることで、キーモジュールを薄肉なものとすることができる。
【００１４】
また本発明のキーモジュールは、上記本発明の第１〜第４の何れか１つの特徴に加えて、導光板の入力キーに対応した位置に、導光板を通過してきた光を入力キー方向へ出射させる光出射構造部を備えていることを第５の特徴としている。
【００１５】
上記本発明の第５の特徴によれば、上記本発明の第１〜第４の何れか１つの特徴による作用効果に加えて、導光板の入力キーに対応した位置に、導光板を通過してきた光を入力キー方向へ出射させる光出射構造部を備えていることから、導光板を通過してきた光を光出射構造部で散乱させて確実に入力キー方向へ出射させることができる。よって入力キーの輝度を一段と効率良く向上させることができる。
【００１６】
また本発明のキーモジュールは、上記本発明の第５の特徴に加えて、光出射構造部は、導光板の下面側に設け、該光出射構造部に蓄光材を含有又は積層させてあることを第６の特徴としている。
【００１７】
上記本発明の第６の特徴によれば、上記本発明の第５の特徴による作用効果に加えて、光出射構造部は、導光板の下面側に設け、該光出射構造部に蓄光材を含有又は積層させてあることから、導光板の下面側に設けた光出射構造部自体に蓄光材を含有又は積層させることで一段と効率良く入力キーの輝度を向上させることができると共に、省エネを実現できるキーモジュールとすることができる。
【００１８】
また本発明のキーモジュールは、上記本発明の第５又は第６の特徴に加えて、光出射構造部は、凹凸形状のパターンによって構成されていることを第７の特徴としている。
【００１９】
上記本発明の第７の特徴によれば、上記本発明の第５又は第６の特徴による作用効果に加えて、光出射構造部は、凹凸形状のパターンによって構成されていることから、導光板内を全反射状態で導かれてきた光を、物理的な凹凸形状のパターンの位置で確実に散乱させて入力キー方向へ放出させることができる。
【００２０】
また本発明のキーモジュールは、上記本発明の第５又は第６の特徴に加えて、光出射構造部は、光散乱剤の含有されたインクによる印刷によって構成されていることを第８の特徴としている。
【００２１】
上記本発明の第８の特徴によれば、上記本発明の第５又は第６の特徴による作用効果に加えて、光出射構造部は、光散乱剤の含有されたインクによる印刷によって構成されていることから、導光板内を全反射状態で導かれてきた光を、光散乱剤を含む印刷パターンの位置で確実に散乱させて入力キー方向へ放出させることができる。
【００２２】
また本発明の導光板は、光源からの光の蓄積と放出を行う蓄光手段を板の上面側又は下面側の少なくとも何れか一面側に設けてあることを第９の特徴としている。
【００２３】
上記本発明の第９の特徴によれば、導光板は、光源からの光の蓄積と放出を行う蓄光手段を板の上面側又は下面側の少なくとも何れか一面側に設けてあることから、光源からの光を蓄光手段に蓄積させ、放出させることができる。よって導光板による光の照光に加えて、蓄光手段による光の照光を行うことができ、被照光物の輝度を向上させることができる。また蓄光手段から放出される光を導光板に導入させることで、光源の発光強度を低下させることができ、省エネを実現できる。
【００２４】
また本発明の導光板は、上記本発明の第９の特徴に加えて、蓄光手段は、板の少なくとも何れか一面側に蓄光材を含有させ又は積層させることで構成してあることを第１０の特徴としている。
【００２５】
上記本発明の第１０の特徴によれば、上記本発明の第９の特徴による作用効果に加えて、蓄光手段は、板の少なくとも何れか一面側に蓄光材を含有させ又は積層させることで構成してあることから、導光板を薄肉なものとすることができる。
【００２６】
また本発明の導光板は、上記本発明の第９又は第１０の特徴に加えて、光源から導入した光を外部方向へ出射する光出射構造部を板の少なくとも何れか一面側に設け、該光出射構造部に蓄光手段を設けてあることを第１１の特徴としている。
【００２７】
上記本発明の第１１の特徴によれば、上記本発明の第９又は第１０の特徴による作用効果に加えて、光源から導入した光を外部方向へ出射する光出射構造部を板の少なくとも何れか一面側に設け、該光出射構造部に蓄光手段を設けてあることから、導光板を通過してきた光を光出射構造部で散乱させて外部方向へ出射させることができる。また光出射構造部に蓄光手段を設けることで、蓄光材に蓄積され、放出される光を外部方向へ出射させることができる。よって一段と被照光物への輝度を向上させることができると共に、省エネを実現できる。
【００２８】
また本発明の電子機器は、請求項１〜１１の何れか１項に記載のキーモジュール若しくは導光板を用いてなることを第１２の特徴としている。
【００２９】
上記本発明の第１２の特徴によれば、電子機器は、請求項１〜１１の何れか１項に記載のキーモジュール若しくは導光板を用いてなることから、入力キーや被照光物の輝度を向上させることができると共に、省エネを実現できる電子機器とすることができる。
【発明の効果】
【００３０】
本発明の導光板、キーモジュール、前記導光板若しくは前記キーモジュールを用いた電子機器によれば、蓄光材を用いて入力キーの輝度を向上させることができると共に、光源の発光強度を低下させることができ、よって省エネを実現できる導光板、キーモジュール、前記導光板若しくは前記キーモジュールを用いた電子機器とすることができる。
【図面の簡単な説明】
【００３１】
【図１】本発明の実施形態に係る電子機器としての携帯電話機を示す斜視図である。
【図２】本発明の実施形態に係る電子機器としての携帯電話機のキーモジュールの平面図である。
【図３】図２に示すキーモジュールをＡ−Ａ方向から見た断面図である。
【図４】本発明の実施形態に係る電子機器としての携帯電話機のキーモジュールの変形例を示す図で、図３と同様の方向から見た断面図である。
【発明を実施するための形態】
【００３２】
以下の図面を参照して、本発明の実施形態に係る電子機器としての携帯電話機を説明し、本発明の理解に供する。しかし、以下の説明は本発明の実施形態であって、特許請求の範囲に記載の内容を限定するものではない。
【００３３】
まず図１を参照して、本発明の実施形態に係る携帯電話機１は、入力部１ａと、表示部１ｂとを備える。表示部１ｂは、ヒンジ部１ｃを介して入力部１ａに開閉自在とされている。
【００３４】
図２、図３も参照して、前記入力部１ａには、そのケース１ｄ内に入力モジュールとしてのキーモジュール２を備えている。キーモジュール２には、入力操作部１０、導光板２０、ドーム状可動接点シート３０、光源４０、回路基板５０を備えている。
【００３５】
前記入力操作部１０は、入力操作を行う部分で、前記入力部１ａに露出した入力キー１１と、入力シート１２とから構成される。また図３に示すように、入力シート１２における入力キー１１に対応した位置には、押子１２ａが形成されている。
なお入力キー１１は、透明性の硬質樹脂で形成され、数字、アルファベット、記号等の特定の形状が視認可能に設けられている。数字、アルファベット、記号等の特定の形状の形成方法は、特定の形状を遮光性材料でマークするものや、特定の形状以外を遮光性材料でマークするものの何れであってもよい。また入力シート１２は、ゴムや軟質樹脂等で構成することができる。
【００３６】
前記導光板２０は、入力キー１１の下方に位置し、光源４０から導入した光で入力キー１１を照光するためのものである。より具体的には、光源４０の照光端面４１から照光された光を光導入端面２１から導入し、導光板２０内を全反射させながら入力キー１１を照光する。
また図３に示すように、導光板２０における入力キー１１、押子１２ａに対応した位置で且つ下面側には、導光板２０を通過してきた光を入力キー１１方向へ出射させる光出射構造部２２を備えている。このような構成とすることで、導光板２０を通過してきた光を入力キー１１方向へ効率的に出射させることができる。
【００３７】
この光出射構造部２２は、図３に示すように、凹凸形状のパターンによって構成されている。このように凹凸形状のパターンによって構成することで、導光板２０内を全反射状態で導かれてきた光を物理的な凹凸形状のパターンの位置で確実に散乱させて入力キー１１方向へ出射させることができる。よって入力キー１１の輝度を向上させることができる。
この凹凸形状はホットスタンピング、射出成形、マイクロブラスト、その他の方法で成形することが可能である。
【００３８】
なお光出射構造部２２は、凹凸形状のパターンによって構成するものに限るものではない。例えば光散乱剤の含有されたインクによる印刷によって形成することができる。このような構成とすることで、導光板２０内を全反射状態で導かれてきた光を、光散乱剤を含む印刷パターンの位置で確実に散乱させて入力キー１１方向へ出射させることができる。よって入力キー１１の輝度を向上させることができる。
また印刷パターンとすることで、導光板２０を薄肉なものとすることができ、キーモジュール２及び携帯電話機１の小型化を図ることができる。
【００３９】
なお導光板２０は、ポリカーボネート、アクリル、ポリウレタン、ノルボルネン樹脂等の可視光域の光を十分透過させることができる樹脂で形成される。
また光出射構造部２２を備える導光板２０の製造方法としては、射出成形やホットエンボス成形を用いることができる。
なお導光板２０の厚みは、２００μｍで、光出射構造部２２の厚みは、１μｍ〜５０μｍ（一般的には２０μｍ以下）とすることが望ましい。
【００４０】
前記ドーム状可動接点シート３０は、導光板２０の下方に位置し、メタルドームと称するドーム状可動接点３１を備えたシートで、ラバー等の軟質の弾性シートから構成することができる。このドーム状可動接点シート３０は、回路基板５０上に配設され、回路基板５０の上面部を被覆している。
【００４１】
また図３に示すように、この可動接点シート３０には、蓄光材６０が含有されている。このような構成とすることで、可動接点シート３０を蓄光手段とすることができる。このように可動接点シート３０が蓄光手段となることで、導光板２０を通過し、照光される光の内、入力キー１１と逆方向へ照光される光（いわゆる漏れ光）を蓄光手段たるドーム状可動接点シート３０に効果的に蓄積させ、入力キー１１を定常的に照光させることができる。よって入力キー１１の輝度を向上させることができる。また蓄光手段たるドーム状可動接点シート３０に蓄積され、放出される光を導光板２０に導入させることができる。よって光源４０の発光強度を低下させることがきる。従って省エネを実現できるキーモジュール２及び携帯電話機１とすることができる。
また蓄光手段たるドーム状可動接点シート３０を導光板２０と回路基板５０との間に設けることで、導光板２０による入力キー１１への照光を蓄光手段が遮ることがない。よって導光板２０によって入力キー１１を良好に照光させることができる。よって入力キー１１の輝度を向上させることができる。
【００４２】
ドーム状可動接点シート３０の厚みは、１μｍ〜２００μｍとすることが望ましい。
なお本実施形態においては、蓄光材６０をドーム状可動接点シート３０に含有させる構成としたが、必ずしもこのような構成に限るものではない。例えば可動接点シート３０の上面に蓄光材６０を含有させたラバー等の軟質の弾性シートを積層する構成とすることができる。
【００４３】
前記光源４０は、例えばＬＥＤで構成することができる。この光源４０は、図３に示すように、回路基板５０上における導光板２０の光導入端面２１と対向する位置に設備される。
【００４４】
前記回路基板５０は、いわゆるフレキシブルプリント配線板で、樹脂層５１と、導電パターン５２とから構成される。
樹脂層５１としては、絶縁性の樹脂材料を用いることができる。また導電パターン５２は、銅箔によるパターンを樹脂層５１上に形成して構成することができる。
【００４５】
前記導電パターン５２の一部には、図３に示すように、スイッチング用の固定接点である第１固定接点５２ａと、第２固定接点５２ｂとが形成されている。なお図示していないが、第１固定接点５２ａは島状の固定接点とされ、第２固定接点５２ｂは第１固定接点５２ａの周囲を囲む環状の固定接点とされている。第２固定接点５２ｂ上に、上記ドーム状可動接点シート３０のドーム状可動接点３１がそれぞれ対応して設置される。
【００４６】
入力キー１１が押圧されると、ドーム状可動接点シート３０のドーム状可動接点３１の中央部が押し下げられ、上面に回路を備える第１固定接点５２ａに接地する。この接地によって第１固定接点５２ａと第２固定接点５２ｂとがドーム状可動接点３１を介してスイッチオンされる。
また入力キー１１の押圧が解除されると、押し下げられていたドーム状可動接点３１の上方への復元力により、ドーム状可動接点３１と第１固定接点５２ａとの接地が解除される。この解除によって、第１固定接点５２ａと第２固定接点５２ｂとがドーム状可動接点３１を介してスイッチオフされる。
なお樹脂層５１の厚みは、１０μｍ〜１００μｍとすることが望ましい。
【００４７】
なお本実施形態においては、光導入端面２１は、図３に示すように、光源４０の照光端面４１と平行な面とする構成としてあるが、必ずしもこのような構成に限るものではなく、照光端面４１に対して角度をつけた面としてもよい。また光を受ける面積を増加させるために、光導入端面２１の厚みを主たる導光板２０の厚みより厚肉とするものであってもよい。
また光出射構造部２２は、入力キー１１、押子１２ａに対応した位置にのみ設ける構成としたが、必ずしもこのような構成に限るものではなく、導光板２０の下面側の全面に設ける構成であってもよい。また必ずしも導光板２０の下面側に限るものではなく、上面側に設ける構成であってもよい。また光出射構造部２２の密度も光導入端面２１から遠ざかる程、密に設ける構成であってもよい。
【００４８】
次に図４を参照して、本発明の実施形態に係る電子機器としての携帯電話機のキーモジュールの変形例を説明する。なお図４は、キーモジュール２の変形例を示す図で、図３と同様の方向から見た断面図である。
【００４９】
本変形例は、蓄光材６０をドーム状可動接点シート３０には含有させず、凹凸形状のパターンによって構成される光出射構造部に含有させ、光出射構造部を蓄光手段としたものである。その他の構成については、既述した本発明の実施形態と同一である。同一部材、同一機能を果たすものには、同一番号を付し、以下の説明を省略する。
【００５０】
このように蓄光材６０を光出射構造部２２に含有させ、光出射構造部２２を蓄光手段とすることで、光出射構造部２２は、導光板２０の入力キー１１、押子１２ａに対応した位置で且つ下面側にあることから、蓄光手段を入力キー１１に対応した位置で且つ導光板２０の下面側に設けることができる。よって導光板２０に導入された光を入力キー１１方向へ効率的に出射させることができることに加え、蓄光材６０に蓄積され、放出される光を入力キー１１方向へ効率的に出射させることができる。従って入力キー１１の輝度を一段と向上させることができる導光板２０、キーモジュール２、携帯電話機１とすることができる。
また蓄光手段たる光出射構造部２２に蓄積され、放出される光を入力キー１１の照光に効率的に利用することができることで、光源４０の発光強度を低下させることがきる。よって一段と省エネを実現できる導光板２０、キーモジュール２、携帯電話機１とすることができる。
【００５１】
なお本変形例においては、光出射構造部２２は、導光板２０における入力キー１１、押子１２ａに対応した位置で且つ下面側にのみ設ける構成としたが、必ずしもこのような構成に限るものではなく、導光板２０の下面側の全面に設ける構成であってもよい。また必ずしも導光板２０の下面側に限るものではなく、上面側に設ける構成であってもよい。
【００５２】
また光出射構造部２２は、凹凸形状のパターンによって構成されるものとしたが、必ずしもこのような構成に限るものではない。例えば、光散乱剤の含有されたインクによる印刷によって形成することができる。このような構成とすることで、導光板２０内を全反射状態で導かれてきた光を、光散乱剤を含む印刷パターンの位置で確実に散乱させて入力キー１１方向へ出射させることができる。よって入力キー１１の輝度を向上させることができる。また印刷パターンとすることで、導光板２０を薄肉なものとすることができ、キーモジュール２及び携帯電話機１の小型化を図ることができる。
光出射構造部２２を光散乱剤を含む印刷パターンで構成する場合、光出射構造部２２に蓄光材６０を含有させることで、光出射構造部２２を蓄光手段としてもよいし、ラバー等の軟質の弾性シートを出射構造部２２に積層させ、弾性シート内に蓄光材６０を含有させることで、弾性シートを蓄光手段とする構成としてもよい。
【産業上の利用可能性】
【００５３】
本発明は携帯電話機等の電子機器、それに用いられるキーモジュールとして利用することができる。
【符号の説明】
【００５４】
１          携帯電話機
１ａ        入力部
１ｂ        表示部
１ｃ        ヒンジ部
１ｄ        ケース
２          キーモジュール
１０        入力操作部
１１        入力キー
１２        入力シート
１２ａ      押子
２０        導光板
２１        光導入端面
２２        光出射構造部
３０        ドーム状可動接点シート
３１        ドーム状可動接点
４０        光源
４１        照光端面
５０        回路基板
５１        樹脂層
５２        導電パターン
５２ａ      第１固定接点
５２ｂ      第２固定接点
６０        蓄光材
【図１】
2010205668.tif 000003
【図２】
2010205668.tif 000004
【図３】
2010205668.tif 000005
【図４】
2010205668.tif 000006